(57)【要約】  本発明は、内部を容易に清掃可能な接眼光学部材及び該接眼光学部材を備えた頭部装着型表示装置を提供することを目的とする。  本発明の接眼光学部材は、表示素子を内蔵する筐体部と、前記表示素子からの映像光を入射面から入射し、入射した前記映像光を導光して射出面から観察者の眼球に向けて射出して、前記映像光を拡大虚像として観察させる導光プリズムと、前記筐体部とは別体として構成され、前記導光プリズムの一部を覆う保護部材と、を備え、前記筐体部は、対向する２つの板状部分を有し、前記導光プリズムは、前記保護部材に固定された組み部材の状態で、前記対向する２つの板状部分に挟み込まれることを特徴とするものである。また、本発明の頭部装着型表示装置は、装着者の頭部に固定するための支持部材と、前記支持部材に取り付けられた、上記の接眼光学部材と、を備えることを特徴とするものである。
2015114680.tif 000002
【特許請求の範囲】
【請求項１】
表示素子を内蔵する筐体部と、
前記表示素子からの映像光を入射面から入射し、入射した前記映像光を導光して射出面から観察者の眼球に向けて射出して、前記映像光を拡大虚像として観察させる導光プリズムと、
前記筐体部とは別体として構成され、前記導光プリズムの一部を覆う保護部材と、を備え、
前記筐体部は、対向する２つの板状部分を有し、
前記導光プリズムは、前記保護部材に固定された組み部材の状態で、前記対向する２つの板状部分に挟み込まれることを特徴とする、接眼光学部材。
【請求項２】
前記保護部材及び前記導光プリズムは、それぞれ対となる凹部又は凸部を有し、
前記保護部材と前記導光プリズムとが、前記対向する２つの板状部分で挟みこまれることにより、前記凹部及び前記凸部とが噛み合って、前記保護部材と前記導光プリズムとの組み部材を構成する、請求項１に記載の接眼光学部材。
【請求項３】
前記導光プリズム及び前記保護部材は、前記組み部材の状態で前記筐体部に着脱可能である、請求項１又は２に記載の接眼光学部材。
【請求項４】
前記保護部材は、前記導光プリズムの前記観察者が前記接眼光学部材を頭部に装着した際の前面を覆う形状である、請求項１〜３のいずれか一項に記載の接眼光学部材。
【請求項５】
前記導光プリズムは、前記側面部の少なくとも一部に反射面を有し、
前記保護部材は、少なくとも前記反射面を覆う、請求項４に記載の接眼光学部材。
【請求項６】
前記導光プリズムは、前記射出面と前記反射面との間の部分であるプリズム先端部に、前記保護部材を固定するための突起が形成されている、請求項１〜５のいずれか一項に記載の接眼光学部材。
【請求項７】
前記保護部材の前記射出面側の端部は、該射出面よりも前記観察者側に突出した形状である、請求項１〜６のいずれか一項に記載の接眼光学部材。
【請求項８】
前記筐体部は、前記表示素子の光軸方向の一方の端部に、前記導光プリズムの入射面側の一部が挿入される開口を有し、
前記開口及び前記板状部分は、前記組み部材との嵌合部を形成し、
前記組み部材は、前記導光プリズムの長手方向にスライド可能であり、
前記嵌合部の前記筐体部側と、前記保護部材側又は前記導光プリズム側とに、それぞれ、前記組み部材のスライド幅を規制する、対となる凸部又は受け溝が形成されている、請求項１〜７のいずれか一項に記載の接眼光学部材。
【請求項９】
前記観察者が前記嵌合部を解除可能であることにより、前記導光プリズムは、前記保護部材に固定された組み部材の状態で、前記筐体部から取り外し可能である、請求項８に記載の接眼光学部材。
【請求項１０】
前記対向する２つの板状部分の一方に、前記組み部材を前記導光プリズムの長手方向にスライド可能にするスライドガイド又はスライドガイド受けが形成され、
前記対向する２つの板状部分の他方に、スライド幅を規制する凸部又は受け溝が形成されている、請求項１〜９のいずれか一項に記載の接眼光学部材。
【請求項１１】
前記保護部材及び前記導光プリズムの、前記観察者の前後方向の２つの面は、一部又は全部が研磨面であり、
前記保護部材は、光を透過する材料でできている、請求項１〜１０に記載の接眼光学部材。
【請求項１２】
装着者の頭部に固定するための支持部材と、
前記支持部材に取り付けられた、請求項１〜１１のいずれか一項に記載の接眼光学部材と、を備えることを特徴とする、頭部装着型表示装置。
【発明の詳細な説明】
【技術分野】
【０００１】
本発明は、接眼光学部材及び頭部装着型表示装置に関するものである。
【背景技術】
【０００２】
従来、小型の表示パネルの映像光を導光プリズムにより導光し、それを虚像として拡大して観察できるようにした接眼光学部材が種々提案されている（例えば、特許文献１参照）。このような接眼光学部材は、観察者の頭部に装着可能な表示装置に搭載することにより、ヘッドマウントディスプレイ（ＨＭＤ）等のウェアラブル機器として利用することができる。【０００３】
このような接眼光学部材においては、小型化のため導光プリズムの一部を筐体から露出させることがある。しかし、導光プリズムの一部を露出すると、特にその前面（観察者が頭部装着型表示装置を装着した状態で、観察者に対向する方向から見た面）が取り扱いの最中に傷つきやすいという問題があった。これに対し、露出している導光プリズムの前面を保護カバーで固定して覆うことが考えられる。
【先行技術文献】
【特許文献】
【０００４】
【特許文献１】特開２０１２−２０３１１３号公報
【発明の概要】
【発明が解決しようとする課題】
【０００５】
しかしながら、上記の手法では、導光プリズムと保護カバーとの間の隙間から雨水や汗などが侵入し、導光プリズム等を汚してしまうという問題があった。これを放置すると、導光プリズムにおいて不要な散乱等が生じてしまい、表示画像にフレア等を生じさせ、あるいは、導光プリズムの材料を変質させてしまうおそれがあった。【０００６】
従って、導光プリズムと保護カバーとの間に侵入した雨水や汗等による汚れを清掃する必要があるが、保護カバーは導光プリズムに固定されているため、工具を用いて取り外す必要があり、その清掃が困難であった。【０００７】
本発明は、上記の問題を解決しようとするものであり、内部を容易に清掃可能な接眼光学部材及び該接眼光学部材を備えた頭部装着型表示装置を提供することを目的とする。
【課題を解決するための手段】
【０００８】
本発明の要旨構成は、以下の通りである。
本発明の接眼光学部材は、表示素子を内蔵する筐体部と、前記表示素子からの映像光を入射面から入射し、入射した前記映像光を導光して射出面から観察者の眼球に向けて射出して、前記映像光を拡大虚像として観察させる導光プリズムと、前記筐体部とは別体として構成され、前記導光プリズムの一部を覆う保護部材と、を備え、前記筐体部は、対向する２つの板状部分を有し、前記導光プリズムは、前記保護部材に固定された組み部材の状態で、前記対向する２つの板状部分に挟み込まれることを特徴とするものである。【０００９】
また、本発明の接眼光学部材にあっては、前記保護部材及び前記導光プリズムは、それぞれ対となる凹部又は凸部を有し、前記保護部材と前記導光プリズムとが、前記対向する２つの板状部分で挟みこまれることにより、前記凹部及び前記凸部とが噛み合って、前記保護部材と前記導光プリズムとの組み部材を構成することが好ましい。【００１０】
さらに、本発明の接眼光学部材においては、前記導光プリズム及び前記保護部材は、前記組み部材の状態で前記筐体部に着脱可能であることが好ましい。【００１１】
さらにまた、本発明の接眼光学部材では、前記保護部材は、前記導光プリズムの前記観察者が前記接眼光学部材を頭部に装着した際の前面を覆う形状であることが好ましい。
ここで、「前面」とは、観察者が前記接眼光学部材を頭部に装着した際に観察者に対向する面のうち観察者から遠い側（観察者の反対側）の面をいうものとする。【００１２】
加えて、前記導光プリズムは、前記側面部の少なくとも一部に反射面を有し、
前記保護部材は、少なくとも前記反射面を覆うことが好ましい。【００１３】
加えてまた、前記導光プリズムは、前記射出面と前記反射面との間の部分であるプリズム先端部に、前記保護部材を固定するための突起が形成されていることが好ましい。【００１４】
また、前記保護部材の前記射出面側の端部は、該射出面よりも前記観察者側に突出した形状であることが好ましい。【００１５】
さらに、本発明の接眼光学部材においては、前記筐体部は、前記表示素子の光軸方向の一方の端部に、前記導光プリズムの入射面側の一部が挿入される開口を有し、前記開口及び前記板状部分は、前記組み部材との嵌合部を形成し、前記組み部材は、前記導光プリズムの長手方向にスライド可能であり、前記嵌合部の前記筐体部側と、前記保護部材側又は前記導光プリズム側とに、それぞれ、前記組み部材のスライド幅を規制する、対となる凸部又は受け溝が形成されていることが好ましい。【００１６】
さらにまた、本発明の接眼光学部材では、前記観察者が前記嵌合部を解除可能であることにより、前記導光プリズムは、前記保護部材に固定された組み部材の状態で、前記筐体部から取り外し可能であることが好ましい。【００１７】
加えて、本発明の接眼光学部材は、前記対向する２つの板状部分の一方に、前記組み部材を前記導光プリズムの長手方向にスライド可能にするスライドガイド又はスライドガイド受けが形成され、前記対向する２つの板状部分の他方に、スライド幅を規制する凸部又は受け溝が形成されていることが好ましい。【００１８】
加えてまた、本発明の接眼光学部材は、前記保護部材及び前記導光プリズムの、前記観察者の前後方向の２つの面は、一部又は全部が研磨面であり、前記保護部材は、光を透過する材料でできていることが好ましい。【００１９】
本発明の頭部装着型表示装置は、装着者の頭部に固定するための支持部材と、前記支持部材に取り付けられた、上記の接眼光学部材と、を備えることを特徴とするものである。
【発明の効果】
【００２０】
本発明によれば、内部を容易に清掃可能な接眼光学部材及び該接眼光学部材を備えた頭部装着型表示装置を提供することができる。
【図面の簡単な説明】
【００２１】
【図１】本発明の第１の実施形態にかかる接眼光学部材を示す、（ａ）断面図、（ｂ）（ｃ）斜視図である。
【図２】本発明の第２の実施形態にかかる接眼光学部材を示す、（ａ）断面図、（ｂ）（ｃ）斜視図である。
【図３】本発明の第３の実施形態にかかる接眼光学部材を示す、（ａ）断面図、（ｂ）（ｃ）斜視図である。
【図４】本発明の第４の実施形態にかかる接眼光学部材を示す、（ａ）断面図、（ｂ）（ｃ）斜視図である。
【図５】本発明の第５の実施形態にかかる接眼光学部材を示す、（ａ）断面図、（ｂ）（ｃ）斜視図である。
【図６】本発明の第６の実施形態にかかる接眼光学部材を示す断面図である。
【図７】本発明の第７の実施形態にかかる接眼光学部材を示す、（ａ）断面図、（ｂ）斜視図である。
【図８】本発明の一実施形態にかかる頭部装着型表示装置の斜視図である。
【発明を実施するための形態】
【００２２】
以下、本発明の実施形態について図面を参照して詳細に例示説明する。
【００２３】
＜第１の実施形態＞
図１は、本発明の第１の実施形態にかかる接眼光学部材を示す、（ａ）断面図、（ｂ）（ｃ）斜視図である。
図１（ａ）に示すように、本実施形態の接眼光学部材１は、表示素子２を内蔵する筐体部３と、表示素子２からの映像光を入射面４ａから入射し、入射した映像光を導光して射出面４ｂから観察者の眼球に向けて射出して、映像光を拡大虚像として観察させる導光プリズム４と、筐体部３とは、別体として構成され、導光プリズム４の一部を覆う保護部材５と、を備えている。また、表示素子２と入射面４ａとの間には、光を透過させるカバーガラス６が配置されている。
図１（ａ）に示す例では、筐体部３は、対向する２つの板状部分３ａ、３ｂを有している。導光プリズム４は、保護部材５に固定された組み部材の状態で、これらの板状部分３ａ、３ｂに挟み込まれ、組み部材の状態で筐体部３に取り付けられている。なお、後述するように、導光プリズム４及び保護部材５は、組み部材の状態で筐体部３に着脱可能である。
【００２４】
そして、図１（ａ）に示すように、筐体部３は、表示素子２の光軸方向（図示例では、筐体部３の長手方向）の一方の端部に、導光プリズム４の入射面４ａ側の一部が挿入される開口３ｃを有している。図１（ａ）に示すように、導光プリズム４の一部がこの開口３ｃに挿入され、導光プリズム４の残りの部分が露出している。
また、保護部材５は、導光プリズム４の、側面部４ｃ、４ｄのみを覆う形状である。図示例では、上下面、及び、側面部のうち、入射面である側面部４ａ及び観察者に対向する側面部４ｅは、保護部材５に覆われていない。なお、図１（ａ）に示す例では、保護部材５は、側面部４ｃ、４ｄのみを覆う形状であるが、保護部材５は、反射面４ｄのみを覆うように構成することもでき、少なくとも反射面４ｄを覆うことが好ましい。
なお、側面部４ｃは、観察者が接眼光学部材を頭部に装着した際の前面となり、側面部４ｄは、図１（ａ）に示す表示素子２の光軸方向（筐体部３の長手方向）を観察者の上下方向として装着した際に、前面となる。
ここで、板状部分３ａ、３ｂの材質は、弾性部材とすることが好ましく、特には限定しないが、例えば、ポリエチレンテレフタレート、ポリカーボネート、アクリルなどを用いることができる。
【００２５】
さらに、図１（ａ）に示すように、この接眼光学部材１では、導光プリズム４は、射出面４ｂと反射面４ｄとの間の部分であるプリズム先端部４ｆに、保護部材５を固定するための突起７が形成されている。そして、保護部材５の射出面４ｂ側の端部５ａが、この突起７に係合しており、該端部５ａは、該射出面４ｂよりも（観察者が図１（ａ）に示す接眼光学部材１と支持部材とを有する頭部装着型表示装置を装着した状態で）観察者側に突出した形状である。
【００２６】
ここで、図１（ａ）に示すように、筐体部３の一方の板状部分３ａには、受け溝３ｄが形成されており、この受け溝３ｄには、凸部５ｂが嵌合し、組み部材が筐体部３から脱落するのを抑制しつつも、嵌合部８（従って組み部材）が受け溝３ｄ内をスライド可能となっている。すなわち、筐体部３と、導光プリズム４及び保護部材５の組み部材との嵌合部８は、導光プリズム４の長手方向にスライド可能である。
そして、図示例では、受け溝３ｄ及び凸部５ｂのサイズによって、組み部材のスライド幅が規制されている。なお、図示例では、筐体部３に受け溝３ｄを設け、それに嵌合する凸部を保護部材５に設けているが、本発明は、この場合に限らず、嵌合部８の筐体部３側と、保護部材５側又は導光プリズム４側とに、それぞれ、組み部材のスライド幅を規制する、対となる凸部又は受け溝を形成することができ、保護部材５に受け溝を設け、それに嵌合する凸部を筐体部３に設けてもよい。
【００２７】
さらに、図１（ａ）に示すように、導光プリズム４には、凸部４ｇが形成され、一方で、保護部材５には、この凸部４ｇと対となる凹部５ｃが形成されている。図１（ａ）に示すように、保護部材５と導光プリズム４とが、対向する２つの板状部分３ａ、３ｂで挟みこまれることにより、凸部４ｇと凹部５ｃとが噛み合って、導光プリズム４と保護部材５との組み部材を構成する。なお、図１に示す例では、保護部材５と導光プリズム４との双方に噛み合い部となる凸部４ｇ及び凹部５ｃをそれぞれ設けているが、保護部材５のみに導光プリズム４と噛み合う加工を施しても良い。また、導光プリズム４に凹部を設け、保護部材５に凸部を設ける構成としても良い。上記凸部４ｇと凹部５ｃとにより、導光プリズム４と保護部材５とは、容易に取り付け、取り外しが可能である。
【００２８】
以下、本実施形態の作用効果について説明する。本実施形態によれば、まず、図１（ａ）に示すように、保護部材５は、導光プリズム４の側面部４ｃ、４ｄを覆っているため、側面部４ｃ、４ｄを保護し、傷や汚れ等が付くのを防止することができる。
そして、導光プリズム４は、保護部材５に固定された組み部材の状態で、筐体部３に着脱可能な構成としたため、図１（ｂ）に示すように、観察者が板状部分３ａを手でめくることにより（図１（ｂ）では、めくれた状態の板状部分３ａを示しており、後述の実施形態に対応する図３（ｂ）、図５（ｂ）も同様である）、凸部５ｂと凹部３ｄとの嵌合を外して嵌合部８を解除することができるため、導光プリズム４を保護部材５に固定された組み部材の状態で筐体部３から容易に取り外すことができる。保護部材５は、導光プリズム４と、板状部分３ａとの間に挟まれる構造となっているため、上記のように板状部分３ａをめくるだけで、工具等を用いることなく組み部材を取り外し可能である。さらには、図１（ｃ）に示すように、凸部４ｇと凹部５ｃとの噛み合いを解除することにより、保護部材５も容易に導光プリズム４から取り外すことができる。
従って、観察者は、カバーガラス６、導光プリズム４、保護部材５、筐体部３の内部など、接眼光学部１の内部を容易に清掃可能である。特に、図１に示すように、保護部材５は、側面部のみを覆っているため、上下方向の厚さが小さくカバーガラス６までの深さが浅いため、綿棒等を用いて容易にカバーガラス６を清掃することができ、また、小型化にも有利である。
【００２９】
さらに、再度使用する際には、凸部４ｇと凹部５ｃとを噛み合わせることで容易に保護部材５を導光プリズム４に取り付けることができ、その組み部材は、凸部５ｂと受け溝３ｄを嵌合させるだけで容易に筐体部３に取り付けることができる。
【００３０】
さらに、本実施形態では、保護部材５は、導光プリズム４の側面部４ｃ、４ｄのみを覆う形状であるため、例えば、図１（ａ）に示す表示素子２の光軸方向（筐体部３の長手方向）を観察者の左右方向として装着した場合の、観察者から見た上下方向には厚さが増大せず、十分な視界を確保することができる。また、少なくとも、光学的に重要な反射面４ｄを覆うような構成とすれば、さらに装置の小型化・軽量化を図ることができる。
【００３１】
また、本実施形態によれば、プリズム先端部４ｆに突起７を設けたことから、この突起に係合させるようにすることで容易に保護部材５を導光プリズム４に取り付けることができる。さらに、保護部材５の射出面４ｂ側の端部５ａは、射出面４ｂよりも観察者側に突出した形状であるため、射出面４ｂを保護することができる。
【００３２】
加えて、本実施形態では、受け溝３ｄに凸部５ｂが嵌合し、受け溝３ｄ内をスライド可能となっているため、スライド幅を調整することによって視度調整を行うことができる。また、これら凸部４ｇと凹部５ｃとにより、導光プリズム４と保護部材５との噛み合い部が形成されているため、保護部材５を導光プリズム４から容易に取り付け、取り外しすることができる。よって、保護部材５と導光プリズム４との間に、雨、汗、塵等が侵入しても容易に清掃が可能である。
【００３３】
＜第２の実施形態＞
図２は、第２の実施形態にかかる接眼光学部材を示す、（ａ）断面図、（ｂ）（ｃ）斜視図である。
第２の実施形態では、組み部材が筐体部３から脱落しないようにする脱落防止機構とスライド機構とを別々に設けている点で、第１の実施形態と異なっている。
すなわち、図２（ａ）に示すように、この接眼光学部材１は、板状部分３ａに、組み部材を導光プリズム４の長手方向にスライド可能にするスライドガイド３ｅが形成され、他方の板状部分３ｂに、筐体部３と組み部材とが嵌合する嵌合部８が形成されている。
まず、スライド機構については、図２（ａ）に示すように、保護部材５にスライドガイド３ｅに係合するスライドガイド受け５ｄが設けられており、スライドガイド３ｅは、このスライドガイド受け５ｄ内をスライド可能となっている。
次に、脱落防止機構については、板状部分３ｂに凹部３ｆが設けられ、導光プリズム４には凸部４ｈが設けられており、これらが嵌合して嵌合部８が形成されている。これにより組み部材が筐体部３から脱落しないように防止される。
さらに、板状部分３ｂに設けられた凹部３ｆは、上記スライド機構のスライド幅を規制する受け溝としても機能する。なお、図２（ａ）に示す例では、板状部分３ｂに凹部３ｆを設け、導光プリズム４に凸部４ｈを設けて嵌合部８を形成しているが、板状部分３ｂに凸部を設けて、導光プリズム４に凹部を設けて嵌合部を形成しても良く、この場合は、凸部が上記スライド機構のスライド幅を規制する。
本実施形態では、脱落防止機構とスライド機構とを別々に設けたことにより、スライドガイド３ｅによるスライド幅を大きくとることができ、組み部材の動きがガタつくのを抑制することができる。
また、図２（ｂ）に示すように、第１の実施形態と同様に、導光プリズム４は、保護部材５に固定された組み部材の状態で、筐体部３に着脱可能に構成したため、第１の実施形態同様、観察者は、嵌合部８を解除して筐体部３から組み部材を容易に取り外すことができ、さらには、図２（ｃ）に示すように、凸部４ｇと凹部５ｃとの噛み合いを解除して、導光プリズム４から保護部材５を容易に取り外すことができ、接眼光学部１の内部を容易に清掃することができる。
【００３４】
＜第３の実施形態＞
図３は、第３の実施形態にかかる接眼光学部材を示す、（ａ）断面図、（ｂ）（ｃ）斜視図である。
図３（ａ）に示すように、この実施形態では、導光プリズム４の形状は、この断面視で矩形であり、ハーフミラーＭを用いて映像光を導光している。すなわち、入射面４ａから入射した映像光は、ハーフミラーＭを通過し、凹面鏡として構成されている反射面４ｄに到達して反射され、反射された光がハーフミラーＭでさらに反射されることにより、射出面４ｂから観察者の眼球に向けて射出される。
また、図３（ａ）〜（ｃ）に示すように、保護部材５には、保護部材５を導光プリズム４に取り付けるための凸部５ｅ、５ｆ、５ｇが形成されている。
【００３５】
図３（ａ）に示す上記の構成によれば、まず、基本的な構成が図１（ａ）に示す第１の実施形態と同様であるため、第１の実施形態同様、観察者は、組み部材を筐体部３から容易に取り外し（図３（ｂ））、さらに保護部材５を導光プリズム４から容易に取り外して（図３（ｃ））、接眼光学部１の内部を容易に清掃可能である。
さらに、図３（ａ）に示す第３の実施形態によれば、導光プリズム４の側面には凹凸等の加工を設けていないため、そのような加工を設ける工程を省くことができ、また光の不所望な散乱をより一層抑制することができる。
また、凸部５ｅ、５ｆ、５ｇにより、保護部材５が導光プリズム４に取り付けられて組み部材を構成しているため、凸部５ｂと受け溝３ｄとの嵌合部８により、保護部材５と導光プリズム４とが一体となってスライド可能である。
特に、導光プリズム４の上面に延在する凸部５ｆにより、導光プリズム４が観察者からみた際の上下方向に動くのを抑制することができる。
さらに、観察者の正面となる側面部４ｂ、４ｃ、４ｅがプリズムの長手方向に真っ直ぐに延びているため、保護部材を光を透過させる材料で構成すれば導光プリズム４及び保護部材５を通して広い視野を確保することができる。
【００３６】
＜第４の実施形態＞
図４は、第４の実施形態にかかる接眼光学部材を示す、（ａ）断面図、（ｂ）（ｃ）斜視図である。
図４（ａ）に示す実施形態の接眼光学部材１では、プリズム先端部４ｆに、突起７が形成され、また、保護部材５の端部５ａに凹部５ｈが形成され、突起７と凹部５ｈとが噛み合うことにより、導光プリズム４と保護部材５とが容易に着脱可能となっている。
また、図４に示す実施形態では、一方の板状部分３ａを他方の板状部分３ｂより長くしており、これにより第２の実施形態の場合よりもさらにスライド幅を大きくとることが可能となっている。
このため、図４に示す実施形態では、導光プリズム４に他に２つの凸部４ｇが形成され、保護部材に形成された他の２つの凹部５ｃとそれぞれ噛み合うことにより、導光プリズム４と保護部材５とがよりしっかりと固定されるようにしている。
なお、第４の実施形態にかかる接眼光学部材１は、他の構成は、図２に示す第２の実施形態と同様であるため、上述した第２の実施形態と同様の作用効果を奏することができ、図４（ｂ）（ｃ）に示すように、組み部材を筐体部３から容易に取り外し、保護部材５を導光プリズム４から容易に取り外すことができるため、接眼光学部材１の内部を容易に清掃することができる。
【００３７】
＜第５の実施形態＞
図５は、第５の実施形態にかかる接眼光学部材を示す、（ａ）断面図、（ｂ）（ｃ）斜視図である。
図５（ａ）に示すように、この実施形態の接眼光学部材１は、組み部材が筐体部３から脱落しないようにする脱落防止機構とスライド機構とを別々に設けている点では、第２の実施形態と同様であるが、まず、脱落防止機構を板状部分３ａ側に設け、スライド機構を板状部分３ｂ側に設けている点で第２の実施形態と異なっている。
さらに、脱落防止機構側では、導光プリズム４ではなく、保護部材５に凸部５ｂを設け、板状部分３ａの受け溝３ｄと嵌合させており、また、スライド機構では、保護部材５ではなく、導光プリズム４に２つの凸部４ｈを設けている点で、第２の実施形態と異なっている。すなわち、図５（ａ）に示すように、板状部分３ｂに受け溝３ｇが設けられ、上記の２つの凸部４ｈと嵌合し、この嵌合部が導光プリズム４の長手方向にスライド可能となっている。
この実施形態によっても、先に説明した第２の実施形態と同様の作用効果を奏することができ、図５（ｂ）（ｃ）に示すように、組み部材を筐体部３から容易に取り外し、保護部材５を導光プリズム４から容易に取り外すことができるため、接眼光学部材１の内部を容易に清掃することができる。また、脱落防止機構とスライド機構とを別々に設けているため、第２の実施形態と同様にスライド幅を大きくとることができる。
【００３８】
＜第６の実施形態＞
図６は、第６の実施形態にかかる接眼光学部材を示す断面図である。
図６に示すように、この実施形態の接眼光学部材１は、板状部分３ａと導光プリズム４との間に挟まれる保護部材５のみならず、板状部分３ｂと導光プリズム４との間に挟まれる保護部材９も有している。すなわち、導光プリズム４ではなく、保護部材９に凸部９ａが設けられ、それが板状部分３ｂに設けた凹部３ｆと噛み合うことで組み部材の脱落を防止している。図６に示す実施形態によれば、保護部材９によって側面部４ｅを保護することができる。
さらに、図６に示すように、導光プリズム４には、ゴースト除去用のプリズム溝４ｉ、４ｊが設けられており、また、保護部材５、９には、凸部５ｉ、９ｂがそれぞれ設けられており、これらが噛み合うように構成されている。
この実施形態によれば、プリズム溝４ｉ、４ｊを側面部４ｃ、４ｅに形成したため、迷光やゴースト光を導光プリズム４の外部へ除去し、コントラストの低下や、表示画面の上下左右にゴースト画像が現れることを防ぐことができる。
【００３９】
ここで、本発明にあっては、保護部材５及び導光プリズム４の、観察者の前後方向の２つの面は、一部又は全部が研磨面であり、保護部材５は、光を透過する材料でできていることが好ましい。外界が透けて見えるため視界を確保することができるからである。
【００４０】
＜第７の実施形態＞
図７は、第７の実施形態にかかる接眼光学部材を示す、（ａ）断面図、（ｂ）（ｃ）斜視図である。
図７に示す実施形態の接眼光学部材１は、凸部４ｇ及び凹部５ｃを１対のみ有している点で、図４に示す実施形態の接眼光学部材１とは異なっている。具体的には、図７に示す実施形態の接眼光学部材１は、板状部分３ｂより反射面４ｄ側には、凸部４ｇ及び凹部５ｃを有していない。そして、保護部材５は、（観察者から見る）上下方向の幅が狭い狭幅部分５ｊを有しており、また、板状部分３ａの内側には、当該狭幅部分５ｊと嵌合する受け溝３ｈが形成されている。
図７に示す実施形態によれば、図４に示す接眼光学部材１と同様の作用効果を奏することができ、また、板状部分３ａの上下方向の中央部分にスライドガイド受け５ｄを形成した図４に示す実施形態の接眼光学部材１と比べて、シースルーに有利である。
【００４１】
＜頭部装着型表示装置＞
図８は、本発明の一実施形態にかかる頭部装着型表示装置の斜視図である。
図８に示すように、この頭部装着型表示装置１０は、装着者の頭部に固定するための眼鏡型の支持部材１１と、支持部材に取り付けられた接眼光学部１とを備えている。これにより、ヘッドマウンドディスプレイ等のウェアラブル機器として用いることができる。
【００４２】
以上、本発明の実施形態について説明したが、本発明は、上記の実施形態に何ら限定されるものではなく、例えば、本発明の接眼光学部材においては、図１〜図６に示すのと異なる形状の導光プリズムを用いることができる。また、図８に示す例では、頭部装着型表示装置１０は、図１に示す接眼光学部材１を備えているが、この場合に限らず、図２〜図７に示す接眼光学部材や、その他の本発明の範疇の接眼光学部材を備えたものとすることができる。また、図８では、眼鏡型の頭部装着型表示装置を用いて例示しているが、例えばヘッドバンド型の頭部装着型表示装置等にすることもできる。その他種々の変形が可能である。
【符号の説明】
【００４３】
１  接眼光学部材
２  表示素子
３  筐体部
４  導光プリズム
５  保護部材
６  カバーガラス
７  突起
８  嵌合部
９  保護部材
１０  頭部装着型表示装置
１１  支持部材
Ｍ  ハーフミラー
【図１】
2015114680.tif 000003
【図２】
2015114680.tif 000004
【図３】
2015114680.tif 000005
【図４】
2015114680.tif 000006
【図５】
2015114680.tif 000007
【図６】
2015114680.tif 000008
【図７】
2015114680.tif 000009
【図８】
2015114680.tif 000010
【国際調査報告】
2015114680.tif 000011
2015114680.tif 000012